(57)【要約】【課題】制御基板が改造されたことを検知することができる画像形成装置等の電子機器を提供する。【解決手段】画像形成装置は、制御プログラム及び画像形成装置の機能に関する設定項目の初期値を記憶するＲＯＭ２０２と、画像形成装置の機能に関する設定項目に対応する設定値を記憶する設定記憶部２０４と、ＣＰＵ２００とを備え、ＣＰＵ２００は、設定記憶部２０４から読出した設定値が、ＲＯＭ２０２から読出した、当該設定値に対応する設定項目の初期値と等しいか否かを判定し、所定数の設定値が初期値と等しいと判定したことに応じて、画像形成装置が改造されていると決定する。これにより、警告を提示することができ、画像形成装置が性能を十分に発揮できない可能性、動作不良を起こす可能性等を低減することができる。【選択図】図３
2013187575.tif 000002
【特許請求の範囲】
【請求項１】
制御プログラムを記憶するプログラム記憶装置を備えた電子機器であって、
前記電子機器が有する機能に関する設定項目に対応する設定値を記憶する設定記憶手段と、
前記設定記憶手段から前記設定値を読出す読出手段と、
読出された前記設定値が、当該設定値に対応する設定項目の初期値と等しいか否かを判定する判定手段と、
前記判定手段が、所定数の前記設定値が前記初期値と等しいと判定したことを受けて、前記電子機器が改造されていると決定する決定手段とを備えることを表すことを特徴とする電子機器。
【請求項２】
前記設定項目は、前記電子機器の出荷前に調整される項目であることを特徴とする請求項１に記載の電子機器。
【請求項３】
前記設定項目は、前記機能毎に分類され、
前記判定手段は、１つの前記機能に分類された設定項目に関して、設定値が、当該設定値に対応する設定項目の初期値と等しいか否かを判定し、
前記決定手段は、前記判定手段が、１つの前記機能に分類された全ての設定項目に関して、前記設定値が前記初期値と等しいと判定したことを受けて、前記電子機器が改造されていると決定することを特徴とする請求項１又は２に記載の電子機器。
【請求項４】
前記判定手段が、１つの前記機能に分類された全ての設定項目に関して、前記設定値が前記初期値と等しいと判定したことを受けて、前記電子機器による１つの前記機能の実行を禁止する禁止手段をさらに備えることを特徴とする請求項３に記載の電子機器。
【請求項５】
前記電子機器の電源がオンされたときに、前記電子機器が出荷前の段階にあるか否かを判定する出荷前判定手段をさらに備え、
前記出荷前判定手段が、前記電子機器が出荷前の段階にないと判定したことを受けて、前記読出手段は前記読出しを行ない、前記判定手段は前記判定を行ない、且つ、前記決定手段は前記決定を行なうことを特徴とする請求項１から４の何れか１項に記載の電子機器。
【請求項６】
前記初期値は、前記プログラム記憶装置に記憶されていることを特徴とする請求項１から５の何れか１項に記載の電子機器。
【請求項７】
前記決定手段が、前記電子機器が改造されていると決定したことを受けて、前記電子機器の全ての機能の実行を禁止する手段をさらに備えることを特徴とする請求項１から６の何れか１項に記載の電子機器。
【請求項８】
前記決定手段により前記電子機器が改造されていると決定されたことを受けて、前記電子機器が改造されていることを提示する提示手段をさらに備えることを特徴とする請求項１から７の何れか１項に記載の電子機器。
【請求項９】
通信ネットワークに接続する接続手段をさらに備え、
前記通信手段は、前記通信ネットワークに接続された装置から前記初期値を取得することを特徴とする請求項１から８の何れか１項に記載の電子機器。
【請求項１０】
通信ネットワークに接続する接続手段をさらに備え、
前記決定手段により前記電子機器が改造されていると決定されたことを受けて、前記電子機器が改造されていることを表す情報を、前記接続手段を介して、所定の送信先に送信することを特徴とする請求項１から８の何れか１項に記載の電子機器。
【発明の詳細な説明】
【技術分野】
【０００１】
本発明は、画像形成装置等の電子機器に関し、特に、電子機器の制御基板が改造（制御基板、制御プログラムを記憶した記憶装置、及び設定値を記憶した記憶装置の交換を含む）されたことを検知可能な電子機器に関する。
【背景技術】
【０００２】
電子機器である画像処理装置の１種として、多くの事業所（会社、事務所等）に、記録紙に画像を形成する画像形成装置（代表的にはコピー機）が導入されている。このような事業所において、プリンタ機能又はコピー機能等を備えた画像形成装置をネットワークに接続し、これらを複数のユーザで共用するケースが多くなっている。このような画像形成装置の１種である複合機（ＭＦＰ（ＭｕｌｔｉＦｕｎｃｔｉｏｎ  Ｐｅｒｉｐｈｅｒａｌ））は、コピーモード、ファクシミリモード（以下、ファクシミリをＦＡＸともいう）、ネットワーク対応のプリンタモード、及びスキャナモードのように、複数の基本的な動作モードを備える。
【０００３】
このような画像形成装置は、機能のレベルによって上位機種から下位機種まで、種々のレベルの装置として提供されている。画像形成装置の機能は、機能毎に回路基板として提供されることがある。そのような下位機種の画像形成装置において、性能を高めるために、上位機種の回路基板が偽造されて使用される、又は、正規の回路基板が不正に改造されて使用されることがある。
【０００４】
このような改造に対応するために、下記特許文献１には、偽造された回路基板又は不正な改造が行なわれた真正な回路基板が接続された場合、その回路基板が使用可能にならない画像形成装置が開示されている。この画像形成装置は、回路基板の増設等、構成が変更されたことを検知した場合、変更された構成品のハードウェア又はソフトウェアに関する情報を取得し、正規品の情報と比較することによって、変更された構成品が正規品であるか否かを判定している。
【先行技術文献】
【特許文献】
【０００５】
【特許文献１】特開２００７−３０７８１３号公報
【発明の概要】
【発明が解決しようとする課題】
【０００６】
近年では、共通のハードウェアを採用し、ソフトウェア（制御プログラム）の違いで、上位機種から下位機種まで異なる機種の画像形成装置を実現することも行なわれている。画像形成装置の制御プログラム及びそれに必要な設定値は、制御基板上の半導体メモリで提供される。使用される半導体メモリとしては、例えば、電気的に書換え可能なフラッシュメモリ、ＥＥＰＲＯＭ等が使用されることが多い。したがって、下位機種の制御基板を上位機種の制御基板に交換する（必要に応じて若干改造する）、制御基板に搭載（例えば、制御基板上のソケットに装着）されたメモリを交換する、又はそのデータを上位機種のデータに書換えるだけで、下位機種の画像形成装置を、上位機種の機能を実行可能な装置にすることができる可能性があり、改造が容易になっていると言える。
【０００７】
画像形成装置のメンテナンス又は修理等において、画像形成装置に装着したサービスパーツを使用可能にするためには、個別ＩＤをサービスパーツ又は画像形成装置にデータ入力する必要がある。これによって、一応は画像形成装置の不正改造を抑制することができる。しかし、例えば、高機能モデルと機能限定の廉価モデルとが販売されている場合、高機能モデル用のサービスパーツ基板が（必要に応じて若干改造されて）廉価モデルに装着され、シリアル番号等の個別ＩＤが不正入力されてしまうと、本来廉価モデルである装置が高機能モデルの装置として使用又は販売されるという問題がある。
【０００８】
このような不正に改造された装置においては、通常生産時に適正に調整されるべきメモリのデータが初期値のままとなっていることがある。その状態で装置が使用されると、性能を十分に発揮できないばかりか、動作不良を引起す可能性及び装置にダメージを与える可能性がある。最悪の場合には故障に至ってしまうこともある。
【０００９】
しかし、画像形成装置において、制御プログラム等を記憶したメモリが不正に交換されること、又は、データが書換えられることは、特許文献１に開示された技術によっては検知することができない問題がある。この問題は、画像形成装置に限らず、共通のハードウェアを採用し、ソフトウェアによって機種の違いを実現している電子機器において発生し得る問題である。
【００１０】
したがって、本発明は、制御基板が改造（制御基板、制御プログラムを記憶した記憶装置、及び設定値を記憶した記憶装置の交換を含む）されたことを検知することができる電子機器を提供することを目的とする。
【課題を解決するための手段】
【００１１】
上記の目的は、下記によって達成することができる。
【００１２】
即ち、本発明の第１の局面に係る電子機器は、制御プログラムを記憶するプログラム記憶装置を備えた電子機器であって、電子機器が有する機能に関する設定項目に対応する設定値を記憶する設定記憶部と、設定記憶部から設定値を読出す読出部と、読出された設定値が、当該設定値に対応する設定項目の初期値と等しいか否かを判定する判定部と、判定部が、所定数の設定値が初期値と等しいと判定したことを受けて、電子機器が改造されていると決定する決定部とを備える。
【００１３】
好ましくは、設定項目は、電子機器の出荷前に調整される項目である。
【００１４】
より好ましくは、設定項目は機能毎に分類され、判定部は、１つの機能に分類された設定項目に関して、設定値が、当該設定値に対応する設定項目の初期値と等しいか否かを判定し、決定部は、判定部が、１つの機能に分類された全ての設定項目に関して、設定値が初期値と等しいと判定したことを受けて、電子機器が改造されていると決定する。
【００１５】
さらに好ましくは、電子機器は、判定部が、１つの機能に分類された全ての設定項目に関して、設定値が初期値と等しいと判定したことを受けて、１つの機能を実行しない。
【００１６】
好ましくは、電子機器は、電子機器の電源がオンされたときに、電子機器が出荷前の段階にあるか否かを判定する出荷前判定部をさらに備え、出荷前判定部が、電子機器が出荷前の段階にないと判定したことを受けて、読出部は読出しを行ない、判定部は判定を行ない、且つ、決定部は決定を行なう。
【００１７】
より好ましくは、初期値は、プログラム記憶装置に記憶されている。
【００１８】
さらに好ましくは、電子機器は、決定部が、電子機器が改造されていると決定したことを受けて、全ての機能を実行しない。
【００１９】
好ましくは、電子機器は、決定部により電子機器が改造されていると決定されたことを受けて、電子機器が改造されていることを提示する提示部をさらに備える。
【００２０】
より好ましくは、電子機器は、通信ネットワークに接続する接続部をさらに備え、通信部は、通信ネットワークに接続された装置から初期値を取得する。
【００２１】
さらに好ましくは、電子機器は、通信ネットワークに接続する接続部をさらに備え、決定部により電子機器が改造されていると決定されたことを受けて、電子機器が改造されていることを表す情報を、接続部を介して、所定の送信先に送信する。
【発明の効果】
【００２２】
本発明によれば、電子機器の制御基板が改造されたことを検知することができる。これによって、電子機器が、性能を十分に発揮できない可能性、動作不良を起こす可能性、損傷を受ける可能性、及び、危険な状態で使用される可能性を低減することができる。
【００２３】
電子機器が改造されたことを提示することにより、改造された電子機器であることを知らずに使用しているユーザに注意を喚起することができる。また、ユーザは必要な処置を取ることができる。
【００２４】
電子機器がネットワークに接続されている場合には、ネットワークを介して、電子機器の製造会社、サービスサポートセンター等に通知することが可能になる。したがって、電子機器の製造会社、サービスサポートセンター等は、適切な対応を行なうことができる。
【図面の簡単な説明】
【００２５】
【図１】本発明の実施の形態に係る画像形成装置の構成を示すブロック図である。
【図２】図１に示した画像形成装置の構成を示す断面図である。
【図３】図１に示した制御部の構成を示すブロック図である。
【図４】図３に示したプログラムを記憶したＲＯＭ、及び、設定記憶部の内部構成を示すブロック図である。
【図５】調整前の画像形成装置における、プログラムを記憶したＲＯＭ及び設定記憶部の内部構成を示すブロック図である。
【図６】調整後の画像形成装置における、プログラムを記憶したＲＯＭ及び設定記憶部の内部構成を示すブロック図である。
【図７】図１に示した画像形成装置において実行される、制御基板の改造を検知するプログラムの制御構造を示すフローチャートである。
【図８】警告メッセージの表示例を示す図である。
【図９】警告メッセージが表示されたまま画像形成装置が起動された場合の操作パネルの表示例を示す図である。
【図１０】図１に示した画像形成装置において実行される、制御基板の改造を検知する、図７とは別のプログラムの制御構造を示すフローチャートである。
【図１１】図４とは別の、プログラムを記憶したＲＯＭ、及び、設定記憶部の内部構成を示すブロック図である。
【図１２】注意メッセージの表示例を示す図である。
【発明を実施するための形態】
【００２６】
以下の実施の形態では、同一の部品には同一の参照番号を付してある。それらの名称及び機能も同一である。したがって、それらについての詳細な説明は繰返さない。
【００２７】
図１を参照して、本発明の実施の形態に係る画像形成装置１００は、制御部１１０、画像形成部１１２、記録紙搬送部１１８、画像入力部１２０、及び操作部１２２を備えている。画像形成部１１２は、転写部１１４及び定着部１１６を備えている。操作部１２２は、操作パネル１２４及び操作キー部１２６を備えている。このような構成により、画像形成装置１００は、原稿を読取って生成された画像データに応じて、所定の記録紙に多色又は単色の画像を形成する。
【００２８】
図２を参照して、画像形成装置１００は、本体装置１３０と、自動原稿送り装置（ＡＤＦ：Ａｕｔｏ  Ｄｏｃｕｍｅｎｔ  Ｆｅｅｄｅｒ）１４０とにより構成されている。本体装置１３０は、光走査装置１、現像器２、感光体ドラム３、クリーナユニット４、帯電器５、中間転写ベルトユニット６、定着部１１６、給紙カセット８１、及び排紙トレイ９１を備えて構成されている。光走査装置１、現像器２、感光体ドラム３、クリーナユニット４、帯電器５、及び中間転写ベルトユニット６は、図１に示した転写部１１４を構成する。
【００２９】
本体装置１３０の上部には、原稿が載置される透明ガラスからなる原稿載置台９２が設けられた画像読取装置９０が配置されている。画像読取装置９０は、光源及び第１ミラーを保持する光源ユニット９３と、第２及び第３ミラーを保持するミラーユニット９４と、レンズ及びＣＣＤ９５とから構成された縮小光学系の画像読取装置である。
【００３０】
原稿載置台９２の上には自動原稿送り装置１４０が取り付けられている。自動原稿送り装置１４０は、原稿載置台９２の上に自動的に原稿を搬送する。自動原稿送り装置１４０は矢印Ｍ方向に回動自在に構成され、原稿載置台９２の上を開放することにより原稿を手で置くことができるようになっている。画像読取装置９０及び自動原稿送り装置１４０は、図１に示した画像入力部１２０を構成する。
【００３１】
本体装置１３０には、図１に示した操作部１２２（図２において図示せず）が設けられている。ユーザは操作部１２２を介して、画像形成装置１００に対する指示を入力することができる。
【００３２】
本体装置１３０には、外部接続された装置から画像データを入力する入力部、又は可搬型の記録媒体から画像データを読取る装置（何れも図示せず）を備えている。本体装置１３０は、これらの他にも画像形成装置として機能するために必要な構成要素、例えば各部に電力を供給する電源部（図示せず）等をも備えている。
【００３３】
画像形成装置１００において扱われる画像データは、ブラック（ＢＬＡＣＫ、以下「Ｋ
とも記載する）、シアン（ＣＹＡＮ、以下「Ｃ」とも記載する）、マゼンタ（ＭＡＧＥＮＴＡ、以下「Ｍ」とも記載する）及びイエロー（ＹＥＬＬＯＷ、以下「Ｙ」とも記載する）の各色を用いたカラー画像データ、即ち、これら４色の成分に分解された画像データである。したがって、現像器２、感光体ドラム３、帯電器５、及びクリーナユニット４は、各色に応じた４種類の潜像を形成するように、それぞれ４個ずつ設けられ、これらによって、ブラック、シアン、マゼンタ、及びイエローを処理する４つの画像ステーションが構成されている。
【００３４】
帯電器５は、感光体ドラム３の表面を所定の電位に均一に帯電させるための装置であり、図２に示すようなチャージャ型の他、接触型のローラ型又はブラシ型の帯電器が用いられることもある。
【００３５】
光走査装置１は、レーザ出射部及び反射ミラー等を備えたレーザスキャニングユニット（ＬＳＵ）である。光走査装置１には、レーザビームを走査するポリゴンミラーと、ポリゴンミラーによって反射されたレーザ光を感光体ドラム３に導くためのレンズ及びミラー等の光学要素とが配置されている。光走査装置１としては、このような構成以外に、発光素子をアレイ状に並べた例えばＥＬ又はＬＥＤ書込みヘッドを用いるものも採用できる。
【００３６】
光走査装置１は、帯電された感光体ドラム３を、入力された画像データに応じて露光することにより、その表面に、画像データに応じた静電潜像を形成する。現像器２は、それぞれの感光体ドラム３上に形成された静電潜像を４色（ＹＭＣＫ）のトナーにより顕像化する。クリーナユニット４は、現像及び画像転写後に感光体ドラム３上の表面に残留したトナーを、除去及び回収する。
【００３７】
感光体ドラム３の上方に配置されている中間転写ベルトユニット６は、中間転写ベルト６１、中間転写ベルト駆動ローラ６２、中間転写ベルト従動ローラ６３、中間転写ローラ６４、及び中間転写ベルトクリーニングユニット６５を備えている。中間転写ローラ６４は、ＹＭＣＫの各色に対応して４本設けられている。
【００３８】
中間転写ベルト駆動ローラ６２、中間転写ベルト従動ローラ６３、及び中間転写ローラ６４は、中間転写ベルト６１を張架して回転駆動させる。各中間転写ローラ６４は、対応する感光体ドラム３のトナー像を中間転写ベルト６１上に転写するために、後述する転写バイアスを供給する。
【００３９】
中間転写ベルト６１は、各感光体ドラム３に接触するように設けられている。感光体ドラム３に形成された各色のトナー像を中間転写ベルト６１に順次重ねて転写することによって、中間転写ベルト６１上にカラーのトナー像（多色トナー像）が形成される。中間転写ベルト６１は、例えば厚さ１００μｍ〜１５０μｍ程度のフィルムを用いて無端状に形成されている。
【００４０】
感光体ドラム３から中間転写ベルト６１へのトナー像の転写は、中間転写ベルト６１の裏側に接触している中間転写ローラ６４によって行なわれる。中間転写ローラ６４には、トナー像を転写するために高電圧の転写バイアス（トナーの帯電極性（−）とは逆極性（＋）の高電圧）が印加されている。中間転写ローラ６４は、直径８〜１０ｍｍの金属（例えばステンレス）軸をベースとし、その表面が導電性の弾性材（例えばＥＰＤＭ、発泡ウレタン等）により覆われているローラである。この導電性の弾性材により、中間転写ベルト６１に対して均一に高電圧を印加することができる。本実施の形態では転写電極としてローラ形状を使用しているが、それ以外にブラシ等を用いることも可能である。
【００４１】
上述のように各感光体ドラム３上で各色相に応じて顕像化された静電像は中間転写ベルト６１上で積層される。このように積層された画像情報（トナーの濃淡分布）は、中間転写ベルト６１が回転されて、記録紙と中間転写ベルト６１との接触位置に配置される転写ローラ１０によって記録紙上に転写される。
【００４２】
このとき、中間転写ベルト６１と転写ローラ１０とは所定ニップで圧接されると共に、転写ローラ１０にはトナーを記録紙に転写させるための電圧が印加される（トナーの帯電極性（−）とは逆極性（＋）の高電圧）。さらに、上記ニップを定常的に得るために、転写ローラ１０及び中間転写ベルト駆動ローラ６２の何れか一方には硬質材料（金属等）が用いられ、他方には弾性ローラ等の軟質材料（弾性ゴムローラ、発泡性樹脂ローラ等）が用いられる。
【００４３】
上記のように、感光体ドラム３に接触することにより中間転写ベルト６１に付着したトナー、又は転写ローラ１０によって記録紙上に転写が行なわれずに中間転写ベルト６１上に残存したトナーは、次工程でトナーの混色を発生させる原因となるために、中間転写ベルトクリーニングユニット６５によって除去されて回収される。中間転写ベルトクリーニングユニット６５には、クリーニング部材として、例えば中間転写ベルト６１に接触するクリーニングブレードが配置されており、クリーニングブレードが接触する中間転写ベルト６１は、裏側から中間転写ベルト従動ローラ６３で支持されている。
【００４４】
給紙カセット８１は、画像形成に使用する記録紙を蓄積しておくためのトレイであり、本体装置１３０の光走査装置１の下側に設けられている。また手差し給紙カセット８２にも画像形成に使用する記録紙を置くことができる。また、本体装置１３０に設けられている排紙トレイ９１は、印刷済みの記録紙をフェイスダウンで、即ち印刷面を下にして集積するためのトレイである。
【００４５】
本体装置１３０には、給紙カセット８１及び手差し給紙カセット８２の記録紙を、転写ローラ１０及び定着部１１６を経由させて排紙トレイ９１に送るために、略鉛直方向に記録紙搬送路Ｓが形成されている。給紙カセット８１又は手差し給紙カセット８２から排紙トレイ９１までの記録紙搬送路Ｓ１及びＳ２の近傍には、ピックアップローラ１１ａ，１１ｂ、複数の搬送ローラ１２ａ〜１２ｄ、レジストローラ１３、転写ローラ１０、及び定着部１１６等が配置されている。
【００４６】
給紙カセット８１、手差し給紙カセット８２、ピックアップローラ１１ａ，１１ｂ、搬送ローラ１２ａ〜１２ｄ、及びレジストローラ１３は、図１に示した記録紙搬送部１１８を構成する。転写ローラ１０は、図１に示した転写部１１４に含まれる。
【００４７】
搬送ローラ１２ａ〜１２ｄは、記録紙の搬送を促進及び補助するための小型のローラであり、記録紙搬送路Ｓ１及びＳ２に沿って複数設けられている。ピックアップローラ１１ａは、給紙カセット８１の端部近傍に配置され、給紙カセット８１から記録紙を１枚ずつピックアップして記録紙搬送路Ｓ１に供給する。同様に、ピックアップローラ１１ｂは、手差し給紙カセット８２の端部近傍に配置され、手差し給紙カセット８２から記録紙を１枚ずつピックアップして記録紙搬送路Ｓ１に供給する。
【００４８】
レジストローラ１３は、記録紙搬送路Ｓ１を搬送される記録紙を一旦保持する。そして、感光体ドラム３上のトナー像の先端と記録紙の先端とが一致するタイミングで記録紙を転写ローラ１０に搬送する。
【００４９】
定着部１１６は、ヒートローラ７１及び加圧ローラ７２を備えている。ヒートローラ７１及び加圧ローラ７２は、記録紙を挟んで回転する。また、ヒートローラ７１は、温度検出器（図示せず）からの信号に基づいて、制御部１１０によって所定の定着温度に設定されており、加圧ローラ７２とともにトナーを記録紙に熱圧着することにより、記録紙に転写された多色トナー像を溶融、混合、及び圧接し、記録紙に対して熱定着させる機能を有している。また、ヒートローラ７１を外部から加熱するための外部加熱ベルト７３が設けられている。
【００５０】
制御部１１０は、本体装置１３０に配置され、画像形成装置１００全体を制御する。図３を参照して、制御部１１０は、ＣＰＵ（Ｃｅｎｔｒａｌ  Ｐｒｏｃｅｓｓｉｎｇ  Ｕｎｉｔ）２００、ＲＯＭ（Ｒｅａｄ  Ｏｎｌｙ  Ｍｅｍｏｒｙ）２０２、設定記憶部２０４、ＲＡＭ（Ｒａｎｄｏｍ  Ａｃｃｅｓｓ  Ｍｅｍｏｒｙ）２０６、及びバス２１０を備えている。ＲＯＭ２０２には、画像形成装置１００の動作を制御するのに必要なプログラム及びデータが記憶されている。
【００５１】
ＲＯＭ２０２は、不揮発性記憶装置であり、ＣＰＵ２００が画像形成装置１００の動作を制御するのに必要なプログラム及びデータを記憶している。ＲＯＭ２０２は、例えば、フラッシュメモリ等の書換え可能な記憶装置である。ＲＯＭ２０２は、書換え不可能な記憶装置であってもよい。設定記憶部２０４は、例えば電気的に書換え可能な不揮発性の記憶装置であり、例えばＥＥＰＲＯＭである。設定記憶部２０４には、画像形成装置１００に関する種々の設定情報が記憶される。ＲＯＭ２０２及び設定記憶部２０４はそれぞれ、例えば基板上に配置されたソケットに搭載されており、比較的容易に交換可能である。
【００５２】
ＣＰＵ２００、ＲＯＭ２０２、設定記憶部２０４、及びＲＡＭ２０６はバス２１０に接続されている。各部間のデータ（制御情報を含む）交換は、バス２１０を介して行なわれる。
【００５３】
ＣＰＵ２００は、ＲＯＭ２０２及び設定記憶部２０４のデータを用いて、ＲＡＭ２０６を作業領域として、ＲＯＭ２０２に記憶されたプログラムを実行する。これによって、ＣＰＵ２００は画像形成装置１００全体を制御し、画像形成装置１００の各機能を実現する。なお、図１に示した画像形成部１１２、記録紙搬送部１１８、画像入力部１２０、及び操作部１２２も、バス２１０に接続されており、バス２１０を介して制御部１１０（ＣＰＵ２００）による制御を受ける。
【００５４】
図４を参照して、ＲＯＭ２０２には、制御プログラムの他に、画像形成装置１００の各機能を実現するために必要となる条件である設定項目に関するデータが記憶されている。具体的には、ＲＯＭ２０２の所定領域２１２には、設定項目を特定するためのデータ（例えば、名称又は番号等）ＳＥＴｉ（ｉ＝１〜ｎ）と、設定項目の初期値ＤＥＦｉ（ｉ＝１〜ｎ）とが、対応させて記憶されている。設定記憶部２０４の所定領域２１４には、ＲＯＭ２０２に記憶された設定項目（ＳＥＴｉ）に対応して、画像形成装置１００が動作するときに使用される設定値ＶＬｉ（ｉ＝１〜ｎ）が記憶されている。設定値ＶＬｉは、出荷時の調整、又は設置場所での調整によって設定された値である。
【００５５】
画像形成部１１２に関する設定項目としては、定着温度、予熱温度、記録紙への画像形成タイミング（印刷開始タイミング）、及びレジスト調整値等がある。記録紙搬送部１１８に関する設定項目としては、記録紙の搬送速度、及び連続印刷時の紙間距離（搬送中の隣接する記録紙の間隔）等がある。画像入力部１２０に関する設定項目としては、原稿読取位置等がある。
【００５６】
設定項目の一例としてレジスト調整値を表１に示す。レジスト調整値は、記録紙上の画像形成位置に影響する。画像形成装置１００が製造された後、未調整の状態では、機構的及び光学的に全色（ＹＭＣＫ）の記録紙への印刷位置は揃っていないので、出荷前に調整される。表１に示したような各色のレジスト調整値を調整することによって、色ずれのない良好な画質の画像を、記録紙上の適切な位置に形成することができる。表１に示した各項目Ａ〜Ｒの初期値は、画像形成装置１００の調整前の設定値である。画像形成装置１００の調整時には、項目Ａ〜Ｒの設定範囲内で調整される。
【００５７】
画像形成装置１００の調整前後におけるＲＯＭ２０２及び設定記憶部２０４の例を、図５及び図６にＲＯＭ３０２及び設定記憶部３０４として示す。ＲＯＭ３０２の所定領域３１２は、ＲＯＭ２０２の所定領域２１２に対応し、設定記憶部３０４の所定領域３１４は、設定記憶部２０４の所定領域２１４に対応する。調整前では、図５に示したように、設定記憶部３０４には、ＲＯＭ３０２に記憶されている初期値と同じ値が設定されている（領域３２２及び領域３２４参照）。調整後には、図６に示したように、設定記憶部３０４にはＲＯＭ３０２に記憶されている初期値とは異なる値が設定されている（領域３２２及び領域３５４参照）。ＲＯＭ３０２に記憶された各設定項目の初期値は調整の前後で変化しない。
【００５８】
【表１】
2013187575.tif 000003
【００５９】
操作部１２２は、ユーザによる画像形成装置１００に対する指示等の入力を受付ける。操作部１２２は、操作パネル１２４及び操作キー部１２６（操作部１２２中の操作パネル１２４以外の領域）を備えている。操作パネル１２４は、液晶パネル等で構成された表示パネルと、表示パネルの上に配置され、タッチされた位置を検出するタッチパネルとを含む。画像形成装置１００を操作するために、表示パネルにはソフトキーが表示され、操作キー部１２６にはハードキーが配置される。ハードキーには、電源キー（電源をオン／オフするためのキー）、節電キー（画像形成装置１００を通常状態と省電力状態との間で遷移させるためのキー）、及びテンキー（“０”〜“９”の数字キー）等がある。ソフトキーには、画像形成装置１００の各動作モードにおける設定を行なうためのキー、設定後にジョブの実行を指示するためのスタートキー等がある。
【００６０】
ＣＰＵ２００は、これらのキーに対するユーザの操作を監視する。ユーザはこれらのキーを押下又はタッチして、画像形成装置１００に対して、画像形成の指示、画像形成の条件の設定等を入力することができる。表示パネルに表示されたキーの選択は、表示パネルに重ねられたタッチパネル上の該当部分にタッチすることによって行なわれる。
【００６１】
以下、図７を参照して、画像形成装置１００において、ＣＰＵ２００によって実行される、制御基板（制御部１１０）の改造を検知するプログラムの制御構造について説明する。制御基板（制御部１１０）の改造としては、制御基板自体を別の制御基板に交換する場合、制御プログラムを記憶したメモリを別のメモリに交換する場合、取外したメモリが電気的に書換え可能であれば、取外したメモリの制御プログラムを別の機種（例えば、より上位機種）の制御プログラムに書換えて、元の電子機器に装着する場合等が含まれる。また、制御プログラムを記憶したメモリが容易に交換可能でなくても、制御基板に搭載されたままメモリが書換え可能になっていれば、制御プログラムが別の機種（例えば、より上位機種）の制御プログラムに書換えられて使用される場合もある。本明細書においては、これらを含めて「改造」という。
【００６２】
制御基板が改造される場合、調整済みの設定記憶部２０４がそのまま使用されないことがある。即ち、設定記憶部２０４は、初期状態のものに交換される、又はデータが初期値に書換えられる場合がある。したがって、本プログラムは、設定記憶部２０４のデータを評価することにより不正改造を検知する。
【００６３】
操作部１２２の電源キーが押された場合、ステップ４００において、ＣＰＵ２００は、通常の起動を行なうか否かを判定する。通常の起動を行なうと判定された場合、制御はステップ４０２に移行する。そうでなければ、制御はステップ４１０に移行する。画像形成装置１００の出荷前に調整を行なう場合等、設定記憶部２０４には初期値が記憶されていることがある。調整時に本プログラムが実行されると、後述するように、画像形成装置１００が改造されていると判定され、操作パネル１２４に警告メッセージが表示される。ステップ４００によって、これを回避する。
【００６４】
具体的には、ＣＰＵ２００は、所定のカウンタ（図示せず）からその値（以下「カウンタ値」という）を取得し、カウンタ値が所定値を超えているか否かを判定する。カウンタは、例えば印字カウンタ又はメンテナンスカウンタ等である。印字カウンタは、記録紙に画像形成を行なった回数（即ち記録紙を排紙した回数）の累積値を計数する。メンテナンスカウンタは、画像形成装置１００の各ユニットの使用状況を表し、メンテナンスすべき時期、又は残ライフ（残寿命）の目安を知るために使用される。モータ及びローラ等であれば、メンテナンスカウンタは、例えば累積回転数である（累積回転時間、累積走行距離等であってもよい）。ユニットによっては、メンテナンスカウンタは駆動回数の累積値、又は、搬送した記録紙のサイズ又は枚数で駆動回数を重み付した値の累積値である。基準とする所定値は、カウンタの種類に応じて適宜設定すればよい。
【００６５】
ステップ４０２において、ＣＰＵ２００は、設定記憶部２０４から１つの設定項目ＳＥＴｉとそれに対応する設定値ＶＬｉとを読出す。
【００６６】
ステップ４０４において、ＣＰＵ２００は、ＲＯＭ２０２から、ステップ４０２で読出した設定項目ＳＥＴｉに対応する初期値ＤＥＦｉを読出し、ステップ４０２で読出した設定値ＶＬｉが、初期値ＤＥＦｉと等しい（ＶＬｉ＝ＤＥＦｉ）か否かを判定する。等しいと判定された場合、制御はステップ４０６に移行する。そうでなければ、制御はステップ４１０に移行する。
【００６７】
ステップ４０６において、ＣＰＵ２００は、まだ読出していない設定項目が設定記憶部２０４にあるか否かを判定する。あると判定された場合、制御はステップ４０２に戻る。そうでなければ、即ち全ての設定項目に関して処理が完了すれば、制御はステップ４０８に移行する。
【００６８】
ステップ４０８において、ＣＰＵ２００は、所定のメッセージを操作パネル１２４に表示する。表示されるメッセージは、例えば、画像形成装置１００が改造されていることをユーザに知らせるためのメッセージである。
【００６９】
ステップ４１０において、ＣＰＵ２００は、画像形成装置１００を通常通り起動した後、通常の制御プログラム（ユーザによる指示を受付け、画像形成装置１００の各機能を実現するためのプログラム）を起動して、本プログラムを終了する。
【００７０】
以上によって、画像形成装置１００において、出荷前の調整又は設置場所での調整等の特別な処理を実行する場合ではなく、画像形成装置１００が通常通り起動されるべき場合、ステップ４０２〜ステップ４０８によって、設定記憶部２０４から読出された設定値ＶＬｉが全て初期値であれば、改造が行なわれたと判定して警告を表示し、ユーザに注意を喚起することができる。少なくとも１つの設定値が初期値でなければ、不正な改造が行なわれていないと判定されて、警告が表示されることなく、画像形成装置１００は通常通り起動される。
【００７１】
ユーザではない者が、改造された画像形成装置１００を正規の製品としてユーザに販売した場合には、ユーザは不正に改造された画像形成装置１００であること、及びその危険性を知らずに使用している。そのような場合、ユーザに警告メッセージを表示することによって、ユーザに注意を喚起することができ、ユーザは必要な処置を取ることができる。
【００７２】
設定項目として表１に示したレジスト調整値を一例として、より具体的に説明する。例えば、改造を意図した者が、安価な下位機種の制御基板のみを購入し、上位機種として動作するように制御基板を改造し、改造後の制御基板を下位機種の画像形成装置１００に搭載する場合がある。そのような場合、改造された制御基板に搭載されている設定記憶部の調整値は初期値のままであることが多い。下位機種用ＲＯＭ及び上位機種用ＲＯＭが同じシリーズの機種（ハードウェア構成が同じ）であれば、それらの制御プログラムは相互に異なるが、レジスト調整等の設定項目の初期値は同じである場合が多い。したがって、改造後の画像形成装置１００のＲＯＭ２０２及び設定記憶部２０４は、図５に示したようになっている。なお、改造された制御基板が搭載される前の画像形成装置１００は調整された後、所定の期間使用されていたとする（印字カウンタ及びメンテナンスカウンタは累積値を保持した状態）。
【００７３】
この状態（図５参照）で、改造された制御基板が搭載された画像形成装置１００の電源キーがオンされると、カウンタ値は所定値よりも大きいので、ステップ４０２が実行される。画像形成装置１００のＲＯＭ２０２及び設定記憶部２０４は図５に示した状態であり、設定記憶部３０４の各設定項目の値は、ＲＯＭ３０２に記憶された、対応する初期値と同じであるので、全ての設定項目に関してステップ４０２〜ステップ４０６が実行された後、ステップ４０８が実行される。その結果、画像形成装置１００が改造されていることをユーザに知らせるためのメッセージとして、ＣＰＵ２００は操作パネル１２４に、例えば図８に示すような警告メッセージを含むウィンドウ８００を表示する。ここでは、レジスト調整値が初期値のままであるので、記録紙に形成される画像の品質が十分でないことを警告する旨のメッセージがウィンドウ８００に表示されている。ユーザによってＯＫキー８０２、又はウィンドウ８００の右上の「×」がタッチされると、ウィンドウ８００は消去される。
【００７４】
なお、ウィンドウ８００を消去する操作がなされなくても、ステップ４１０において、通常の起動処理が実行される。したがって、ウィンドウ８００が消去されないまま起動処理が完了した場合には、操作パネル１２４には、例えば図９に示すように、ホーム画面８１０の上に、ウィンドウ８００が重畳されて表示される。ホーム画面８１０は、コピー、ＦＡＸ等の各機能を選択するためのキー（コピーモード選択キー８１２、ＦＡＸモード選択キー８１４等）が表示される画面である。これによって、ユーザに、画像形成装置１００が改造されているとの警告を確実に提示することができる。
【００７５】
上記では、全ての設定項目を区別せずに処理対象とし、全ての設定項目が初期値である場合に改造が行なわれたと判定する場合を説明したが、これに限定されない。画像形成装置１００の機能毎に、設定値が初期値であるか否かを判定してもよい。機能単位で判定し、ある１つの機能に関して、全ての設定項目が初期値である場合にメッセージを表示してもよい。図１０に、そのようなプログラムの制御構造を示す。図１０において、図７と同じ参照番号を付したステップは図７と同じであるので、それらに関しては必要最小限の記載に留め、重複説明を繰返さない。
【００７６】
ここでは、ＲＯＭ２０２及び設定記憶部２０４には、図１１に示すように、画像形成装置１００の設定項目が機能毎に分類されて記憶されているとする。図１１では、図４とは異なり、ＲＯＭ２０２の所定領域２２２には、機能Ａを特定するためのデータＦＮＫＡ（例えば、名称又は番号等）と対応させて、機能Ａに関する設定項目を特定するためのデータＳＥＴＡｉ（ｉ＝１〜ｎ）及び設定項目の初期値ＤＥＦＡｉ（ｉ＝１〜ｎ）が記憶されている。データＳＥＴＡｉと初期値ＤＥＦＡｉとは１対１に対応している。また、所定領域２２２には、機能Ｂを特定するためのデータＦＮＫＢと対応させて、機能Ｂに関する設定項目を特定するためのデータＳＥＴＢｊ（ｊ＝１〜ｍ）及び設定項目の初期値ＤＥＦＢｊ（ｊ＝１〜ｍ）が記憶されている。データＳＥＴＢｊと初期値ＤＥＦＢｊとは１対１に対応している。機能Ａ及び機能Ｂ以外の機能に関する設定項目についても同様に記憶されている。
【００７７】
設定記憶部２０４の所定領域２２４には、ＲＯＭ２０２に記憶されたデータＦＮＫＡと対応させて、機能Ａに関する設定項目を特定するためのデータＳＥＴＡｉ（ｉ＝１〜ｎ）及び設定値ＶＬＡｉ（ｉ＝１〜ｎ）が記憶されている。データＳＥＴＡｉと設定値ＶＬＡｉとは１対１に対応している。また、所定領域２２４には、ＲＯＭ２０２に記憶されたデータＦＮＫＢと対応させて、機能Ｂに関する設定項目を特定するためのデータＳＥＴＢｊ（ｊ＝１〜ｍ）及び設定値ＶＬＢｊ（ｊ＝１〜ｍ）が記憶されている。データＳＥＴＢｊと設定値ＶＬＢｊとは１対１に対応している。機能Ａ及び機能Ｂ以外の機能に関する設定項目についても同様に記憶されている。設定値ＶＬＡｉ及びＶＬＢｊ等は、画像形成装置１００が調整される前は、ＲＯＭ２０２に記憶された初期値ＤＥＦＡｉ及びＤＥＦＢｊ等と同じであり、調整後には、調整によって設定された値である。
【００７８】
電源キーがオンされると、ステップ４００が実行されて通常の起動を行なうと判定された場合、ステップ５００において、ＣＰＵ２００は、１つの機能を選択する。具体的には、ＣＰＵ２００は、設定記憶部２０４に記憶された機能を特定するデータ（ＦＮＫＡ、ＦＮＫＢ等）の中から１つを選択する。選択されたデータをＦＮＫ０とする。
【００７９】
その後、ステップ４０２〜ステップ４０６が実行される。なお、ステップ４０２におけるデータの読出しは、ステップ５００で選択された機能（データＦＮＫ０で特定される機能）に対応して記憶されているデータの中から読出される。ステップ５００で選択された機能の設定項目の全てに関してステップ４０２及び４０４が実行された場合（データＦＮＫ０に対応する設定項目が全て初期値である場合）、制御はステップ５０２に移行する。
【００８０】
ステップ５０２において、ＣＰＵ２００は、データＦＮＫ０に対応するフラグに“１”をセットする。各機能に対応するフラグは、例えば、予めＲＡＭ２０６の所定領域に初期値を“０”として記憶しておけばよい。
【００８１】
ステップ５０４において、ＣＰＵ２００は、設定記憶部２０４に記憶されている機能のうち、まだ処理していない機能があるか否かを判定する。あると判定された場合、制御はステップ５００に戻る。そうでなければ、即ち全ての機能に関して処理が完了すれば、制御はステップ５０６に移行する。
【００８２】
ステップ５０６において、ＣＰＵ２００は、各機能に対応させてＲＡＭ２０６に記憶されているフラグが全て“１”であるか否かを判定する。全て“１”であると判定された場合、制御はステップ５０８に移行する。そうでなければ、制御はステップ５１０に移行する。
【００８３】
ステップ５０８において、ＣＰＵ２００は、第１のメッセージを操作パネル１２４に表示する。第１のメッセージは、例えば、画像形成装置１００が改造されていることをユーザに知らせるためのメッセージ（図８参照）である。その後、ステップ４１０において、起動処理が実行される。
【００８４】
ステップ５１０において、ＣＰＵ２００は、各機能に対応させてＲＡＭ２０６に記憶されているフラグが全て“０”であるか否かを判定する。全て“０”であると判定された場合、制御はステップ４１０に移行する。即ち、フラグが全て“０”である場合、各機能に関して少なくとも１つの設定値（ＶＬＡｉ、ＶＬＢｊ等）が初期値と異なるので、何もメッセージを表示せず、ステップ４１０において起動処理が実行される。一方、全て“０”であると判定されなかった場合、制御はステップ５１２に移行する。
【００８５】
ステップ５１２において、ＣＰＵ２００は、第２のメッセージを操作パネル１２４に表示する。その後、ステップ４１０において起動処理が実行される。第２のメッセージは、例えば、図１２に示すようなウィンドウ８２０に表示される、画像形成装置１００が十分に調整されていないことをユーザに知らせるためのメッセージである。このとき、フラグが“１”である機能（設定値が全て初期値である機能）に関するメッセージを表示してもよい。例えば、レジスト調整（表１参照）に対応するフラグが“１”であれば、「レジスト調整が十分に行なわれていません。」というようなメッセージを表示してもよい。
【００８６】
以上のように、機能毎に設定値が初期値であるか否かを判定することにより、改造がなされていることを検知できることに加えて、調整が不十分な機能を検知することができる。例えば、サービス員による正規のメンテナンスにおいて、制御基板の交換を伴う修理が行なわれた場合、通常は基板交換後に画像形成装置１００の再調整が行なわれる。全ての調整が行なわれた場合には、基板交換前と同様に画像形成装置１００を使用することができるが、仮に調整漏れがあるとユーザに不利益を与えることになる。このような場合に、画像形成装置１００の再調整が必要であることを、ユーザに知らせることができる。
【００８７】
なお、調整されていない又は調整不十分な機能が検知された場合、画像形成装置１００の起動後に、その機能を制限してもよい。そのとき、制限される機能を操作パネル１２４に表示することが好ましい。ここで制限される機能は、コピー機能、プリンタ機能、スキャナ機能、ＦＡＸ機能等の上位レベルの機能に限らず、下位レベルの機能であってもよい。例えば、コピー及びプリントに関しては、モノクロ印刷、カラー印刷、片面印刷、及び両面印刷等のレベルで機能を制限してもよい。カラー印刷を行なう場合、表１に示した各色のレジスト調整がされていない状態であれば、全色（ＹＭＣＫ）の位置関係がずれたまま印刷されるので、記録紙上には色ずれした画像又はぼやけたような画像が形成されてしまう。その場合でも、モノクロ印刷では適切な画像が形成される。したがって、そのような場合には、コピー機能及びプリンタ機能等のレベルで制限するのではなく、カラー印刷を実行できないようにし、モノクロ印刷等は制限しないことが好ましい。
【００８８】
上記では、調整される全ての設定項目を処理対象としたが、これに限定されない。画像形成装置１００の設定項目には、出荷前（製造時及び最終調整時）に調整される設定項目以外に、画像形成装置１００の設置場所で調整される設定項目もある。したがって、画像形成装置１００の出荷前において調整される設定項目のみを処理対象として、設置値が初期値であるか否かを判定してもよい。これにより、判定に要する時間を短縮することができる。
【００８９】
また、上記では、設定項目が機能毎に分類されている場合にも、全ての機能に関する全ての設定項目を処理対象としたが、これに限定されない。特定の１又は複数の機能に関する全ての設定項目のみを処理対象として、設置値が初期値であるか否かを判定してもよい。例えば、表１に示したレジスト調整に関する項目Ａ〜Ｒのみを処理対象としてもよい。これにより、判定に要する時間を短縮することができる。
【００９０】
また、設定項目が機能毎に分類されているか否かにかかわらず、全ての設定項目よりも少ない所定数の設置項目のみを処理対象としてもよい。設定項目の中には調整後でも初期値のままであるものがあるので、例えば、調整によって設置値が初期値から変更されることが多い、複数の設定項目のみを処理対処としてもよい。これにより、判定に要する時間を短縮することができる。
上記では、設定値が全て初期値であっても画像形成装置１００を起動する場合、及び、設定値が全て初期値である機能を制限する場合を説明したが、これらに限定されない。例えば、図７のフローチャートにおいて、設定値が全て初期値であった場合、ステップ４０８の後、起動処理を実行せずに（即ち、画像形成装置を使用可能な状態にせずに）、プログラムを終了してもよい（図１０のフローチャートのステップ５０８に続く処理に関しても同様）。また、図１０のフローチャートにおいて、特定の機能の設定値が全て初期値であった場合、ステップ５１２の後、起動処理を実行せずにプログラムを終了してもよい。
【００９１】
また、設定項目が機能毎に分類されている場合、特定の機能の設定項目が初期値である場合、ステップ５１２において、調整不十分であるメッセージを表示する場合を説明したがこれに限定されない。調整漏れはめったに起こらないので、ステップ５１２において、改造されていることを示すメッセージ（図８参照）を表示してもよい。
【００９２】
上記では、初期値がＲＯＭ２０２に記憶されている場合を説明したが、これに限定されない。画像形成装置１００が、ＮＩＣ（Ｎｅｔｗｏｒｋ  Ｉｎｔｅｒｆａｃｅ  Ｃａｒｄ）等の、通信ネットワークに接続するためのインターフェイスを備えている場合には、サーバコンピュータ等に初期値を記憶しておいてもよい。その場合、ＣＰＵ２００は、ステップ４０４における判定で使用する初期値をサーバコンピュータから取得することができる。例えば、図７のステップ４０４を実行する前に、ＣＰＵ２００は、ネットワークを介してサーバコンピュータにアクセスして、画像形成装置１００用の全ての設定項目に関する初期値を取得してＲＡＭ２０６に記憶し、ステップ４０４における判定には、ＲＡＭ２０６に記憶した初期値を使用すればよい。
【００９３】
上記では、ステップ４０８において、操作パネル１２４にメッセージを表示する場合を説明したが、これに限定されない。メッセージの表示の代わりに、又は、メッセージの表示に加えて、例えば、画像形成装置１００が通信ネットワークに接続されている場合、ＣＰＵ２００は、通信ネットワークを介して所定の電子メールアドレスに所定の内容の電子メールを送信してもよい。所定の電子メールアドレスは、例えば、画像形成装置１００の製造会社、正規の販売会社、又はサポートセンター等の電子メールアドレスである。所定の内容の電子メールは、例えば、画像形成装置１００の制御基板が改造されていることを検知した旨のテキストデータを含む電子メールである。
【００９４】
初期値は、上記したように、設定範囲内の中央値（例えば、調整範囲“０〜３９９”に対して“２００”）に限定されない。初期値は、設定範囲内の任意の値であってもよい。また、初期値は、設定範囲外の値であってもよい。初期値は、例えばデータビットが全て“０”又は“１”（８ビットデータの場合、１６進表示で“００”又は“ＦＦ”）であってもよい。
【００９５】
上記では、画像形成装置１００の制御基板が改造されたことを検知することを説明したがこれに限定されない。画像形成装置１００に限らず、共通のハードウェアを採用し、ソフトウェアによって機種の違いを実現している電子機器において、上記したように、設定項目の設定値が初期値であるか否かを判定することにより、改造を検知することができる。
【００９６】
以上、実施の形態を説明することにより本発明を説明したが、上記した実施の形態は例示であって、本発明は上記した実施の形態に限定されるものではなく、種々変更して実施することができる。
【符号の説明】
【００９７】
９０      画像読取装置
１００    画像形成装置
１３０    本体装置
１４０    自動原稿送り装置
１１０    制御部
１１２    画像形成部
１１４    転写部
１１６    定着部
１１８    記録紙搬送部
１２０    画像入力部
１２２    操作部
１２４    操作パネル
１２６    操作キー部
２００    ＣＰＵ
２０２    ＲＯＭ
２０４    設定記憶部
２０６    ＲＡＭ
２１０    バス
【図１】
2013187575.tif 000004
【図２】
2013187575.tif 000005
【図３】
2013187575.tif 000006
【図４】
2013187575.tif 000007
【図５】
2013187575.tif 000008
【図６】
2013187575.tif 000009
【図７】
2013187575.tif 000010
【図８】
2013187575.tif 000011
【図９】
2013187575.tif 000012
【図１０】
2013187575.tif 000013
【図１１】
2013187575.tif 000014
【図１２】
2013187575.tif 000015